(57)【要約】  【課題】    操作・使用状態にないスタンバイ状態のマウスに時間表示機能を付加し、マウスの機能と付加価値を向上したマウスの提供。    【解決手段】    殻体の内部に関連回路部品を組み込み、殻体の上部前方位置に関連操作ボタンを設け、さらに、該殻体の操作ボタンに対し後方の位置に凹部を設け、該凹部内に時計を設置し、該時計の表示面が殻体の上面を向いており、時間を表示する。  【選択図】    図２
0003108473.tif 000002
【実用新案登録請求の範囲】
【請求項１】
殻体の内部に関連回路部品を組み込み、殻体の上部前方位置に関連操作ボタンを備えたマウスであって、そのうち、該殻体の操作ボタンに対し後方の位置に凹部を設け、該凹部内に時計を設置し、該時計の表示面が殻体の上面を向いており、時間表示機能を備えたことを特徴とするマウス。
【請求項２】
前記のうち、該殻体の凹部に複数の挿入槽を設け、該時計の底部に該挿入槽に嵌置するための挿入突起を設けた、請求項１に記載のマウス。
【請求項３】
前記のうち、該殻体の上方に環状蓋体を設け、該殻体の環状蓋体と接触する区域に複数の位置決め孔を設け、該環状蓋体の底部に該位置決め孔に嵌置するための位置決め突起を設けた、請求項１または２に記載のマウス。
【請求項４】
前記のうち、該殻体の上方に環状蓋体を設け、該殻体の環状蓋体と接触する区域に複数の位置決め孔と少なくとも２つの嵌入孔を設け、該環状蓋体の底部に該位置決め孔に嵌置するための位置決め突起と、該嵌入孔に伸入させる嵌合板を設けた、請求項１または２に記載のマウス。
【請求項５】
前記のうち、該時計が電池運転の指針タイプであり、且つ時間調整のための調整ネジを備えた、請求項１または２に記載のマウス。
【請求項６】
前記のうち、該時計が電池運転の指針タイプであり、且つ時間調整のための調整ネジを備え、該殻体の上方に環状蓋体を設け、該殻体の該調整ネジに対応する位置に陥没部を形成し、該環状蓋体の該調整ネジに対応する位置に切欠部を設け、時計の調整ネジを外部に露出した、請求項１または２に記載のマウス。
【考案の詳細な説明】
【技術分野】
【０００１】
本考案はマウスの外殼の構造に関し、特に、時間表示機能を備え、マウスの機能と付加価値を向上したマウスに関する。
【背景技術】
【０００２】
パーソナルコンピュータプラットフォーム式オペレーションシステムが登場して以来、マウスは一般のパーソナルコンピュータに不可欠な入力装置の１つである。図１に従来のマウスの外観立体図を示す。マウスは主に殻体１０の内部に関連回路部品２０が組み込まれ、また殻体１０の上部前方位置に関連操作ボタン３０を備え、使用時には操作者が指先で操作ボタン３０に触れながらマウスの殻体１０を握り、手のひらを利用し殻体１０を滑らせるように動かし、モニタ上のポインタの位置を移動させる過程において、同時に操作ボタン３０をクリックし必要な指令を入力することができる。
【０００３】
しかしながら、一般のマウスは使用時にコンピュータデスク上の適当な区域内で滑らせて使用するため、マウスの正常な動作を維持するためには、コンピュータデスクの表面に常にマウスを滑らせて動かすための空間をあけておく必要がある。しかし、従来のマウスそのものの機械的主体についていえば、操作者が握り、クリックするという機能しか備えておらず、このため、マウスを使用しないスタンバイ状態にある時、その他の付加的機能を提供することができず、ただコンピュータデスクの限られた表面空間を占有してしまうだけである。
【考案の開示】
【考案が解決しようとする課題】
【０００４】
本考案の目的は、殻体の内部に関連回路部品が組み込まれ、殻体の上部前方位置に関連操作ボタンを備えたマウスであって、そのうち、殻体の操作ボタンに対し後方の位置に凹部を設け、該凹部内に時計を設置し、時計の表示面が殻体の上面に向いており、操作・使用状態にないマウスに時間表示機能を付加し、マウスの機能と付加価値を向上したマウスを提供することにある。  
【課題を解決するための手段】
【０００５】
殻体の内部に関連回路部品を組み込み、殻体の上部前方位置に関連操作ボタンを設け、さらに、該殻体の操作ボタンに対し後方の位置に凹部を設け、該凹部内に時計を設置し、該時計の表示面が殻体の上面を向いており、時間を表示する。
【考案を実施するための最良の形態】
【０００６】
以下、本考案のマウスの構造組成と全体の動作方法について、図面に基づき詳細に説明する。
【０００７】
本考案のマウスは、図２に示すように、そのマウス全体の基本構造は従来品同様に殻体１０の内部に関連回路部品２０が組み込まれ、殻体１０の上部前方位置に関連操作ボタン３０を備えている。同時に図３及び図４を参照すると分かるように、該殻体１０は操作ボタン３０に対し後方の位置に凹部１１を備え、該凹部１１内に時計４０が設置され、該時計４０の表示面は殻体１０の上面を向いており、操作・使用状態にないマウスに時間表示機能を付加し、マウスの機能と付加価値を向上する
【０００８】
具体的な実施においては、殻体１０の凹部１１に複数の挿入槽１２を設け、時計４０はその底部に該挿入槽４１に対応する挿入突起４１を備え、挿入突起４１を挿入槽１２に嵌置し、時計４０が殻体１０の凹部１１内に固定され、表示面の正確な方向が維持される。
【０００９】
このほか、殻体１０の上方に環状蓋体５０を被せるように設置し、該環状蓋体５０の作用は、時計４０の表示面を阻むことなく、該時計４０を位置決めする。本実施例においては、殻体１０の環状蓋体５０と接触する区域に複数の位置決め孔１３を設け、該環状蓋体５０はその底部に該位置決め孔１３に対応する位置決め突起５１を備え、該位置決め突起５１を該位置決め孔１３に嵌置し、環状蓋体５０が殻体１０の表層に固定され、同時に時計４０が該環状蓋体５０によって固定される。
【００１０】
さらに、本考案の殻体１０の該環状蓋体５０との接触区域に少なくとも２つの嵌入孔１４を設け、環状蓋体５０の底部に該嵌入孔１４に対応する嵌合板５２を設置し、嵌合板５２を嵌入孔１４の下方に伸入させて殻体１０と嵌合し、環状蓋体５０と殻体１０の結合強度を強化することもできる。また、該時計４０は、電池運転の指針タイプとし、且つ時間調整に用いる調整ネジ４２を備え、殻体１０の該調整ネジ４２に対応する位置に陥没部１５を形成し、且つ環状蓋体５０の該調整ネジ４２に対応する位置にも切欠部５３を形成し、時計４０の調整ネジ４２が外部に露出するようにして、使用者が時間を調整する際の利便性を高める。
【００１１】
以上、本考案のマウスについて、具体的な実施例を説明してきたが、以上の実施例と図面は本考案の最良の実施例を説明するためのものであり、本考案を制限するものではなく、本考案の構造、装置、特徴等が近似または同等のものは、すべて本考案の目的と特許申請範囲を逸脱しないものとみなす。
【図面の簡単な説明】
【００１２】
【図１】従来のマウスの外観立体図である。
【図２】本考案のマウスの外観立体図である。
【図３】本考案の環状蓋体、時計及び殻体の構造分解図である。
【図４】本考案のマウスの側面図である。
【符号の説明】
【００１３】
１０      殻体
１１      凹部
１２      挿入槽
１３      位置決め孔
１４      嵌入孔
１５      陥没部
２０      回路部品
３０      操作ボタン
４０      時計
４１      挿入突起
４２      調整ネジ
５０      環状蓋体
５１      位置決め突起
５２      嵌合板
５３      切欠部
【図１】
0003108473.tif 000003
【図２】
0003108473.tif 000004
【図３】
0003108473.tif 000005
【図４】
0003108473.tif 000006